(57)【要約】【課題】撮影後に画像に関する情報を簡便に記録する。【解決手段】撮像光学系により結像された画像を撮像し、その画像を表示するとともに画像に関する情報９ｆ、９ｈ、９ｉを入力する。そして、表示された画像上の位置を指定して、入力された情報９ｆ、９ｈ、９ｉを画像上の指定された位置に表示するとともに、画像に対応付けて情報を記録する。【選択図】図３
2010252011.tif 000002
【特許請求の範囲】
【請求項１】
撮像光学系により結像された画像を撮像する撮像手段と、
前記画像を表示する表示手段と、
前記画像に関する情報を入力する入力手段と、
前記表示手段に表示された前記画像上の位置を指定する指定手段と、
前記入力手段により入力された前記情報を、前記表示手段の前記画像上の前記指定手段により指定された前記位置に表示する制御手段と、
前記画像に対応付けて前記情報を記録手段に記録させる記録制御手段とを備えることを特徴とする撮像装置。
【請求項２】
請求項１に記載の撮像装置において、
前記画像から人物の顔を認識して顔の領域を検出する顔認識手段を備え、
前記制御手段は、前記画像上に前記人物の顔の領域を表示するとともに、前記指定手段により前記人物の顔の領域内の位置が指定されると、前記顔の領域の近傍に前記情報を表示することを特徴とする撮像装置。
【請求項３】
請求項２に記載の撮像装置において、
前記画像に関する情報は人名であり、
前記入力手段は、人名を入力するためのモードが選択されると、人名入力を補助する動作を開始することを特徴とする撮像装置。
【請求項４】
請求項３に記載の撮像装置において、
前記記録制御手段は、前記画像から認識された前記人物の顔の位置に対応付けて前記人名を前記記録手段に記録させることを特徴とする撮像装置。
【請求項５】
請求項３または請求項４に記載の撮像装置において、
前記人名入力を補助する動作は、人名辞書による人名優先変換動作であることを特徴とする撮像装置。
【請求項６】
請求項１〜５のいずれか一項に記載の撮像装置において、
前記画像に関する情報は地名であり、
前記入力手段は、地名を入力するためのモードが選択されると、地名入力を補助する動作を開始することを特徴とする撮像装置。
【請求項７】
請求項６に記載の撮像装置において、
前記地名入力を補助する動作は、現在位置検出装置により現在位置を検出し、地図データにより現在位置の地名を検索する動作であることを特徴とする撮像装置。
【発明の詳細な説明】
【技術分野】
【０００１】
本発明は撮像装置に関する。
【背景技術】
【０００２】
人物ごとの認識情報と個人情報を登録しておき、撮影画像の中から認識情報を用いて登録済みの人物認識を行い、画像中の登録人物の個人情報を表示して通信を行うようにした携帯電話機が知られている。
【先行技術文献】
【特許文献】
【０００３】
【特許文献１】特開２００６−１６５８２１号
【発明の概要】
【発明が解決しようとする課題】
【０００４】
しかしながら、上述した従来の携帯電話機では、画像中の非登録人物に対しては個人情報の入力を促し、入力された個人情報を登録するようにしているが、これらの機能はあくまでも携帯電話機で通話を行うための補助機能であり、人物のみを対象としているため、撮影した直後の画像を見ながら人物、背景の建物や山河など、名前や名称を画像中の任意の位置にメモ書きしておき、後日、画像を再生したときに誰とどこへいったときの写真なのかを容易に思い出させるような機能ではない。撮像装置には、撮影直後に画像を見ながら被写体に関する情報を簡便にメモ書きできる機能が望まれる。
【課題を解決するための手段】
【０００５】
(１)  請求項１の発明は、撮像光学系により結像された画像を撮像する撮像手段と、画像を表示する表示手段と、画像に関する情報を入力する入力手段と、表示手段に表示された画像上の位置を指定する指定手段と、入力手段により入力された情報を、表示手段の画像上の指定手段により指定された位置に表示する制御手段と、画像に対応付けて情報を記録手段に記録させる記録制御手段とを備える。
(２)  請求項２の発明は、請求項１に記載の撮像装置において、画像から人物の顔を認識して顔の領域を検出する顔認識手段を備え、制御手段は、画像上に人物の顔の領域を表示するとともに、指定手段により人物の顔の領域内の位置が指定されると、顔の領域の近傍に情報を表示する。
(３)  請求項３の発明は、請求項２に記載の撮像装置において、画像に関する情報は人名であり、入力手段は、人名を入力するためのモードが選択されると、人名入力を補助する動作を開始する。
(４)  請求項４の発明は、請求項３に記載の撮像装置において、記録制御手段は、画像から認識された人物の顔の位置に対応付けて人名を記録手段に記録させる。
(５)  請求項５の発明は、請求項３または請求項４に記載の撮像装置において、人名入力を補助する動作は、人名辞書による人名優先変換動作である。
(６)  請求項６の発明は、請求項１〜５のいずれか一項に記載の撮像装置において、画像に関する情報は地名であり、入力手段は、地名を入力するためのモードが選択されると、地名入力を補助する動作を開始する。
(７)  請求項７の発明は、請求項６に記載の撮像装置において、地名入力を補助する動作は、現在位置検出装置により現在位置を検出し、地図データにより現在位置の地名を検索する動作である。
【発明の効果】
【０００６】
本発明によれば、撮影後に画像に対するメモ書きを簡便に記録することができ、後日画像を再生したときに写真に写っている人物がだれなのか、どこで撮影したものなのかを容易に思い出すことができる。
【図面の簡単な説明】
【０００７】
【図１】一実施の形態の撮像装置の構成を示す図
【図２】一実施の形態の再生画像に対するメモ書きプログラムを示すフローチャート
【図３】メモ書きされた画像の表示例を示す図
【図４】メモ書き情報を記録媒体の画像ファイル（Ｅxif）に画像に対応付けて記録した例を示す図
【発明を実施するための形態】
【０００８】
図１は一実施の形態の撮像装置の構成を示す図である。レンズ鏡筒１はズーミングレンズ２とフォーカシングレンズ３を備え、撮像素子４の撮像面に被写体像を結像する。撮像素子４はＣＣＤ、ＣＭＯＳ、ＣＩＤなどから構成されるイメージセンサーであり、被写体像に応じた画像信号を出力する。画像処理回路５は、撮像素子４から出力される画像信号に対してクランプ処理、ゲイン処理、画素補間処理、色変換処理などの各種処理を施すとともに、周知の顔認識アルゴリズムにより画像中から人物の顔を認識して顔領域を検出する。メモリ６は、各種プログラム、地図データ、辞書データなどを記憶するＲＯＭである。ＧＰＳ受信機７は衛星からの信号電波を受信して現在位置の緯度、経度を検出し、メモリ６の地図データを参照して現在位置の名称を検索する。
【０００９】
音声認識装置８はマイク８ａで集音した音声を認識し、文字データを出力する。表示装置９は撮像装置の背面に設けられ、タッチパネル９ａを備えている。表示装置９は、撮像素子４で撮像した画像を表示するとともに、画像上に各種情報を重畳して表示する。操作部材１０は、レリーズスイッチ、方向キースイッチ、コマンドダイヤルスイッチ、タッチパネル９ａに連動してオン、オフするタッチパネルスイッチなど、撮像装置を操作するための各種スイッチ類を備えている。記録媒体１１は、メモリカードなどの画像と画像に関する情報を記録するための着脱可能なメモリである。制御装置１２はＣＰＵ１２ａやメモリ１２ｂなどを備え、撮像装置の各種演算制御やシーケンス制御を実行する。
【００１０】
図２は一実施の形態の再生画像に対するメモ書きプログラムを示すフローチャート、図３はメモ書きされた画像の表示例を示す図である。これらの図を参照して一実施の形態の動作を説明する。制御装置１２は、ステップ１で撮影した画像が表示装置９に表示されると図２に示すメモ書きプログラムを実行する。メモ書きプログラムが実行されると、図３に示すように表示装置９の表示画面９ｂの左上隅に人名入力アイコン９ｃが、表示画面９ｂの右上隅に地名天候入力アイコン９ｄがそれぞれ表示される。人名入力アイコン９ｃをタッチすると人名入力補助が開始され、人名優先変換や顔認識による人物の顔領域へのカーソル表示など、人名入力を簡便にするための各種機能が動作する。また、地名天候アイコン９ｄをタッチすると地名天候入力補助が開始され、地名天候優先変換やＧＰＳ受信機７による現在位置検出と地名検索などの地名天候入力を簡便にするための各種機能が動作する。
【００１１】
ステップ２において、タッチパネル９ａにより人名入力アイコン９ｃがタッチされたか否かを確認し、人名入力アイコン９ｃがタッチされた場合はステップ３へ進み、タッチされていなければステップ９へ進む。人名入力アイコン９ｃがタッチされた場合は、ステップ３で人名入力補助を開始する。具体的には、メモリ６に記憶されている辞書データの内の人名辞書を用いた人名優先変換を行う。また、画像処理回路５により画像の中から人物の顔の認識を行い、図３に示すように画像上の顔の領域に顔認識カーソル９ｅを表示する。
【００１２】
ステップ４において、タッチパネル９ａにより表示画面９ｂ上で撮影者が人名入力位置としてタッチした位置を検出する。続くステップ５では、撮影者が指定した人名入力位置にテキストバーを表示し、ソフトキーボードによる人名入力を待機するとともに、音声認識装置８により音声による人名入力を待機する。このとき、人名入力位置に最も近い人物を人名入力対象の人物とし、図３に示すようにその人物の顔領域にアクティブカーソル９ｇを点滅表示する。
【００１３】
ステップ６でソフトキーボードまたは音声により撮影者が入力した人名を入力し、人名辞書を用いて文字に変換した後、ステップ７で人名を表示画面９ｂ上の人名入力位置に表示する。図３に示す例では、アクティブカーソル９ｇが点滅している人物に近い人名入力位置に「Ａさん」という人名が表示されている。ステップ８で、入力された人名「Ａさん」の情報を、人名をメモ書きする画像に対応付けて図４に示すように記録媒体１１の画像ファイル（Ｅxif）に記録する。その後、ステップ２へ戻り、ふたたび人名入力アイコン９ｃがタッチされたか否かを確認する。人名入力アイコン９ｃがタッチされ、上述した手順で表示画面９ｂの右側の人物に対して「Ｂさん」９ｈという人名が入力され、表示画面９ｂへの表示と画像ファイルへの記録が行われる。
【００１４】
ステップ９で地名天候アイコン９ｄがタッチされるとステップ１０へ進み、地名天候入力補助を開始する。具体的には、メモリ６に記憶されている辞書データの内の地名辞書および天候辞書を用いた地名天候優先変換を行う。また、ＧＰＳ受信機７により現在位置の地名を検出する。ステップ１１において、タッチパネル９により表示画面９ｂ上で撮影者が地名天候入力位置としてタッチした位置を検出する。続くステップ１２では、撮影者が指定した地名天候入力位置にテキストバーを表示し、ソフトキーボードによる地名天候入力を待機するとともに、音声認識装置８により音声による地名天候入力を待機する。
【００１５】
ステップ１３でソフトキーボードまたは音声により撮影者が入力した地名天候を入力し、地名天候辞書を用いて文字に変換した後、ステップ１４で地名天候を表示画面９ｂ上の地名天候入力位置に表示する。図３に示す例では、撮影者が指定した表示画面９ｂの右下隅に「撮影日時(yyyy/mm/dd)、晴れ、富士山山頂にて」９ｉという撮影日時、地名、天候が表示されている。ステップ１５で、入力された撮影日時、地名、天候の情報を、地名天候をメモ書きする画像に対応付けて記録媒体１１の画像ファイル（Ｅxif）に記録する。
【００１６】
その後、ステップ２へ戻り、ふたたび人名入力アイコン９ｃまたは地名天候入力アイコン９ｄがタッチされたか否かを確認する。いずれもタッチされない場合はメモ書きプログラムの実行を終了する。
【００１７】
画像ファイルに記録された人名、地名、天候などの情報を用いて、プリント時に写真の縁にそれらの情報をメモ書きとしてプリントしたり、あるいはアプリケーションソフトにより画像を日付、場所、人物などにより自動的に整理することもできる。もちろん、プリントへのメモ書きの表示、非表示は撮影者により任意に選択可能である。
【００１８】
《一実施の形態の変形例》
上述した一実施の形態では、撮影者がタッチパネル９ａを使って人名、地名天候などの入力情報を表示する位置を指定する例を示したが、この一実施の形態の動作に限定されない。人名入力の場合には、例えば、顔認識により認識され顔領域カーソル９ｅが表示されている人物の顔領域の内、タッチパネル９ａにより撮影者がタッチした人名入力対象の人物の顔領域を検出し、その人物の顔領域にアクティブカーソル９ｇを点滅表示するとともに、その人物に近い位置で、かつコントラストが一様で人物や背景が写っていない位置をカメラが自動的に判別し、そのような位置に人名を表示するようにしてもよい。なお、人名をその入力対象の人物に重ねて表示してもよい。一方、地名天候入力の場合には、表示画面９ｂの下部で、コントラストが一様で人物や背景が写っていない位置をカメラが自動的に判別し、そのような位置に地名天候を表示するようにしてもよい。
【００１９】
上述した一実施の形態では、メモ書きする情報として人名、地名、天候、撮影日時を例に挙げて説明したが、メモ書き情報は上述した一実施の形態に限定されるものではない。メモ書き情報として人名の他に人物のプロフィール、住所、電話番号などを表示、記録してもよいが、本願発明は撮影からしばらくたって画像を整理するときに、写っている人物や撮影場所、状況などを思い出せるように、画像に対する簡単なメモを記録しておくことが目的であり、メモの内容が複雑で長文のものはメモ書き内容としてふさわしくない。
【００２０】
図３および図４に示す例では二人の人物の人名を「左」、「右」と区別して記録する例を示したが、三人の場合は、左、中央、右と区別し、四人以上の場合には「左から」または「右から」順番に記録すればよい。
【００２１】
上述した一実施の形態では、画像に関する情報を入力する手段としてソフトキーボードや音声認識を例に挙げて説明したが、これらに限定されず、例えば手書き入力装置をカメラの背面に設け、表示装置９に表示された画像を見ながら手書きで画像に関する情報を入力してもよい。
【００２２】
上述した一実施の形態では、現在地を検出する手段としてＧＰＳ受信機を例に挙げて説明したが、これに限定されず、例えばビーコン受信機を設け、路側や景勝地に設置されるビーコン送信機からの現在地情報を受信するようにしてもよい。
【００２３】
上述した一実施の形態では、人名入力アイコン９ｃが操作されると人名を入力するためのモードを選択し、地名天候アイコン９ｄが操作されると地名天候を入力するためのモードを選択する例を示したが、これらのモードの選択方法は上述した一実施の形態の方法に限定されず、専用のスイッチを設けてもよいし、あるいは表示装置９にメニュー画面を表示して人名入力モードあるいは地名天候入力モードを選択するようにしてもよい。また、人名入力を補助する動作および地名天候入力を補助する動作は、上述した一実施の形態の動作に限定されない。
【００２４】
本願発明を適用する撮像装置としては、コンパクトデジタルカメラに限らず、一眼レフレックスデジタルカメラやレンズ交換式デジタルカメラなど、あらゆる種類のカメラに適用することができる。
【００２５】
なお、上述した実施の形態とそれらの変形例において、実施の形態と変形例とのあらゆる組み合わせが可能である。
【００２６】
上述した実施の形態とその変形例によれば以下のような作用効果を奏することができる。まず、表示装置９に表示された画像に対して、画像中の人物の名前や撮影した地名などのメモ書き情報を、画像上の指定した位置に表示するとともに、画像に対応付けて記録するようにしたので、撮影後に画像に対するメモ書きを簡便に記録することができ、後日画像を再生したときに写真に写っている人物がだれなのか、どこで撮影したものなのかを容易に思い出すことができる。
【００２７】
次に、一実施の形態とその変形例によれば、画像から人物の顔を認識して顔の領域を検出し、表示装置９に表示された画像上に人物の顔の領域を表示するとともに、人物の顔の領域内の位置が指定されると、顔の領域の近傍にメモ書きした情報を表示するので、画像上の人物ごとに名前などのメモ書きを簡便に記録することができる。
【００２８】
また、一実施の形態とその変形例によれば、人名を入力するためのモードが選択されると、人名入力を補助する動作、例えば人名辞書による人名優先変換動作を開始するようにしたので、画像中の人物の名前を簡便にメモ書きすることができる。
【００２９】
一実施の形態とその変形例によれば、画像から認識された人物の顔の位置に対応付けて人名を記録するようにしたので、画像の中に複数の人物がいても人物ごとの名前を確実にかつ簡便にメモ書きできる。
【００３０】
一実施の形態とその変形例によれば、地名天候を入力するためのモードが選択されると、地名天候入力を補助する動作、例えば現在位置検出装置により現在位置を検出し、地図データにより現在位置の地名を検索する動作を開始するようにしたので、画像を撮影した場所やそのときの天候を簡便にメモ書きしておくことができる。
【符号の説明】
【００３１】
４；撮像素子、７；ＧＰＳ受信機、８；音声認識装置、９；表示装置、９ｃ；人名入力アイコン、９ｄ；地名天候入力アイコン、９ｅ；顔認識カーソル、１０；操作部材、１１；記録媒体
【図１】
2010252011.tif 000003
【図２】
2010252011.tif 000004
【図３】
2010252011.tif 000005
【図４】
2010252011.tif 000006